(57)【特許請求の範囲】
【請求項１】
高所作業車（Ｖ）の伸縮ブーム（１０）に装備されたバケット（Ｂ）の開口上縁部を跨ぐほぼ倒立Ｊ字型又は倒立Ｕ字型として、そのバケット（Ｂ）の開口上縁部へスライド作用と係脱操作の可能に係止されるハンガーフック（２３）の一対と、
各ハンガーフック（２３）へ抜き差し可能なロックピン（３０）を介して、そのハンガーフック（２３）からの吊り下がり設置状態に連結一体化されたハンガーステー（１５）の一対と、
各ハンガーステー（１５）から外向く先上がりの傾斜設置状態として張り出すように、その各基端部が各ハンガーステー（１５）の下端部へ回動自在に枢支連結されたネット展開ロッド（３３）の一対と、
上記ハンガーステー（１５）の相互間を連結する屈折可能なネット支持アーム（３９）の上下一対と、
そのネット支持アーム（３９）が屈折する中間部同志の上下相互間を連繋するロープ（４６）と、
少なくとも上記ネット展開ロッド（３３）とネット支持アーム（３９）を骨材として、これらに全体的な袋状態として張り掛け固定された落下物捕捉ネット（Ｎ）とを備え、
上記ネット支持アーム（３９）の中間部を引き上げ操作すれば、そのネット支持アーム（３９）の上下一対が山型に屈折作用して、上記ハンガーステー（１５）の一対が互いに接近した折りたたみ集束状態となる一方、
上記ハンガーフック（２３）の一対をバケット（Ｂ）の開口上縁部に沿って押し広げ操作すれば、やはりネット支持アーム（３９）の上下一対が水平に伏倒展開して、上記ハンガーステー（１５）の一対が互いに離反した使用状態となるように関係設定したことを特徴とする高所作業車用の落下物捕捉装置。
【請求項２】
一端部が各ハンガーステー（１５）へ起伏的な回動自在に枢支連結された一対の同じ長さを有するリンクピース（３９ａ）と、その両リンクピース（３９ａ）の他端部同志を起伏的な回動自在に枢支連結した中間連結ピース（３９ｂ）とから、ネット支持アーム（３９）の各個を屈折自在に組み立て、
その各ネット支持アーム（３９）における中間連結ピース（３９ｂ）同志の上下相互間を、一定長さの連繋ロープ（４６）によって連繋すると共に、
ハンガーフック（２３）の一対をバケット（Ｂ）の開口上縁部に沿って押し広げ操作した時、各ネット支持アーム（３９）の両リンクピース（３９ａ）が水平な突っ張り状態に受け止め規制されるように定めたことを特徴とする請求項１記載の高所作業車用の落下物捕捉装置。
【請求項３】
ネット展開ロッド（３３）の一対を平面から見て、バケット（Ｂ）の開口上縁部と直交する仮想線（Ｘ−Ｘ）に対し、一定角度（α）だけ交叉した指向状態の先広がりなハ字型に張り出すと共に、
その各ネット展開ロッド（３３）の張り出し先端部から一体的に導出した一定長さの起伏操作ロープ（３８）を、各ハンガーステー（１５）の上端部付近へ捲き付けて、
その起伏操作ロープ（３８）の途中をバケット（Ｂ）への迂回的に係止させることにより、上記ネット展開ロッド（３３）の先上がり傾斜設置角度（β）を小さく調整できるように定めたことを特徴とする請求項１記載の高所作業車用の落下物捕捉装置。
【請求項４】
バケット（Ｂ）の開口上縁部へ別個なほぼカマボコ型の合成樹脂製プロテクター（１３）を固定一体化し、そのプロテクター（１３）をハンガーフック（２３）のスライドガイドレールとして機能させたことを特徴とする請求項１記載の高所作業車用の落下物捕捉装置。
【請求項５】
各ハンガーステー（１５）の上端部へ被着一体化したトップカバー（１８）に、バケット（Ｂ）と弾力的に接触するクッション座（２０）を貼り付ける一方、各ハンガーステー（１５）の下端部へ差し込み固定したプラグ（１６）に、同じくバケット（Ｂ）と弾力的に接触するクッション座（１７）を貼り付けたことを特徴とする請求項１記載の高所作業車用の落下物捕捉装置。
【請求項６】
ほぼ倒立等脚台形の水平なスライドフランジ（１８ｂ）が造形されたトップカバー（１８）を、各ハンガーステー（１５）の上端部へ被着一体化して、そのスライドフランジ（１８ｂ）にロックピン受け入れ孔（２１）を開口させる一方、上記スライドフランジ（１８ｂ）と嵌まり合う蟻溝型の抱持フランジ（２３ａ）を、各ハンガーフック（２３）に対応形成して、その抱持フランジ（２３ａ）にもロックピン受け入れ孔（２４）を開口させると共に、
上記トップカバー（１８）のスライドフランジ（１８ｂ）をその抱持フランジ（２３ａ）に沿って、バケット（Ｂ）の存在方向へ押し込む如くスライド操作した時、上記ハンガーフック（２３）側のロックピン受け入れ孔（２４）とトップカバー（１８）側のロックピン受け入れ孔（２１）とが自づと合致連通して、その上方からロックピン（３０）を差し込み固定できるように定めたことを特徴とする請求項１記載の高所作業車用の落下物捕捉装置。
【発明の詳細な説明】
【０００１】
【発明の属する技術分野】
本発明は高所作業車用の折りたたみ集束可能な落下物捕捉装置に関する。
【０００２】
【従来の技術】
電気工事や通信線工事などに使用される高所作業車のバケットから、その工事に必要な部品や工具などの機材が、作業者の不注意やブームの反動により落下する危険を防ぐ落下物捕捉装置としては、実用新案登録第２５３８５３０号が提案されており、その構成上レール（１）に沿って移動するネット支持体（４）を、１個所へ折りたたみ集束できるようになっている点で、本発明に近似する公知技術であると言える。
【０００３】
【発明が解決しようとする課題】
ところが、この公知考案の場合ネット支持体（４）のレール（１）をバケット（１０）の３面に連続する包囲状態として固定設置しなければならず、このことは図１２に示されたハンガー方式として、そのレール（１）をバケット（１０）から取りはずせる構成においても、全く変りがない。
【０００４】
又、２本づつの上下レール（１）とその所定個所の連結材（１１）、合計５本のネット支持体（４）、そのレール（１）へ係合するローラー部（２１）のローラー（２３）、バケット（１０）に係合する壁面ローラー（２２）などを必要とし、その組立部品点数が非常に多いため、バケット（１０）に対する取付作業性と量産効果に劣る。
【０００５】
しかも、上記ネット支持体（４）を支持するレール（１）としては、剛性な金属板材を採用する必要があり、その上下レール（１）の連結材（１１）にはナット（図示符号省略）が溶接されていると共に、バケット（１０）への押圧部材（１２）はそのナットに螺合締結される金属ボルトから成るため、電気絶縁性を発揮せず、高圧電線工事などの感電事故を招くおそれがあるほか、上記組立部品点数の多数とも相俟って、いたづらに重量化する不利もある。
【０００６】
更に、上記２本づつの上下レール（１）は金属板材からほぼコ字型に折り曲げられており、その向かい合う中央部での突き合わせ状態に接続一体化されている関係上、バケット（１０）のサイズが変われば、これに応じて上下レール（１）も変えなければならず、そのバケット（１０）への互換的に後付け使用することは不可能である。
【０００７】
この点、バケットへの互換的に後付け使用できる落下物捕捉装置としては、特許第２９１４６２５号が公知であるが、これでもネット支持フレーム（Ｆ）の垂直パイプホルダー（２５）をバケット（Ｂ）へ取り付けるに当って、特別のラッシングベルト（１３）とそのベルト固定金具（Ａ）を必要とする。
【０００８】
しかも、そのラッシングベルト（１３）に対する垂直パイプホルダー（２５）の通し込みや、同じくラッシングベルト（１３）の緊張操作を加えなければならないので、バケット（Ｂ）への取付作業上未だ煩らわしく、高所作業車（Ｖ）のバケット（Ｂ）が地面から高所へ移動された後には、もはやそのバケット（Ｂ）上からネット支持フレーム（Ｆ）の取付作業を行なうことができない。
【０００９】
更に、バケット（Ｂ）へのハンガーフック（４２）と垂直パイプ（３１）のトップカバー（３６）とを連結固定するロックピン（Ｐ）が、支点ピン（４９）を介して屈折自在に枢着された操作摘まみ（４８）と抜け止めキー（５０）とから成り、その両者を一直線状態に伸ばして、ハンガーフック（４２）側のロックピン受け入れ孔（４３）からトップカバー（３６）側のロックピン受け入れ孔（３９）へ串刺し貫通させた後、その抜け止めキー（５０）を支点ピン（４９）の廻りに屈折操作しなければならないので、その連結固定作業も面倒である。
【００１０】
何れにしても、上記公知考案と公知発明ではバケットから取りはずした落下物捕捉装置の全体を、小型コンパクトに折りたたみ集束した状態として保管したり、持ち運んだり、更にはそのバケットの内部へ収納したりすることが不可能であって、利便性に劣る。
【００１１】
【課題を解決するための手段】
本発明はこのような課題の改良を企図しており、そのための構成として高所作業車の伸縮ブームに装備されたバケットの開口上縁部を跨ぐほぼ倒立Ｊ字型又は倒立Ｕ字型として、そのバケットの開口上縁部へスライド作用と係脱操作の可能に係止されるハンガーフックの一対と、
【００１２】
各ハンガーフックへ抜き差し可能なロックピンを介して、そのハンガーフックからの吊り下がり設置状態に連結一体化されたハンガーステーの一対と、
【００１３】
各ハンガーステーから外向く先上がりの傾斜設置状態として張り出すように、その各基端部が各ハンガーステーの下端部へ回動自在に枢支連結されたネット展開ロッドの一対と、
【００１４】
上記ハンガーステーの相互間を連結する屈折可能なネット支持アームの上下一対と、
【００１５】
そのネット支持アームが屈折する中間部同志の上下相互間を連繋するロープと、
【００１６】
少なくとも上記ネット展開ロッドとネット支持アームを骨材として、これらに全体的な袋状態として張り掛け固定された落下物捕捉ネットとを備え、
【００１７】
上記ネット支持アームの中間部を引き上げ操作すれば、そのネット支持アームの上下一対が山型に屈折作用して、上記ハンガーステーの一対が互いに接近した折りたたみ集束状態となる一方、
【００１８】
上記ハンガーフックの一対をバケットの開口上縁部に沿って押し広げ操作すれば、やはりネット支持アームの上下一対が水平に伏倒展開して、上記ハンガーステーの一対が互いに離反した使用状態となるように関係設定したことを特徴とするものである。
【００１９】
【発明の実施の形態】
以下、図面に基いて本発明の具体的構成を詳述すると、図１は電気工事や通信線工事などに使用中の高所作業車（Ｖ）を示しており、その伸縮ブーム（１０）の先端部に装備されているバケット（Ｂ）の内部へ、作業者が立ち乗って、必要な工事を行なうことになる。
【００２０】
上記バケット（Ｂ）は公知のように、ガラス繊維補強樹脂（ＧＦＲＰ）などの硬質な合成樹脂から平面視の四角形をなしており、その開口上縁部がフラットな補強フランジ（１１）として外向き連続的に張り出していると共に、そのバケット（Ｂ）の後壁面（１２ｂ）において伸縮ブーム（１０）の先端部へ、旋回作動自在に枢着されている通例である。
【００２１】
（１３）は上記バケット（Ｂ）の前壁面（１２ａ）並びに左右両側壁面（１２ｃ）（１２ｄ）の開口上縁部をなす補強フランジ（１１）へ、複数づつの固定ボルト（１４）や接着剤などにより取り付け一体化されたプロテクターの合計３個であって、何れも硬質な合成樹脂からほぼカマボコ型に成形されており、後述するハンガーフックの円滑なスライドガイドレールとして機能するようになっている。
【００２２】
本発明の落下物捕捉装置は各種サイズのバケット（Ｂ）へ互換的に後付け使用可能なものとして、その構成部品の悉く電気絶縁材料から製作されており、しかも不使用時にはバケット（Ｂ）へ取り付けた状態のままで、後述のネット展開ロッドを引き起し操作できるばかりでなく、そのバケット（Ｂ）の角隅部へ全体的な折りたたみ状態に寄せ集めたり、更にはバケット（Ｂ）から容易に取りはずし、全体的な折りたたみ状態としてバケット（Ｂ）の内部へ収納又は便利良く持ち運んだりすることもできるようになっている。
【００２３】
即ち、上記バケット（Ｂ）に対する落下物捕捉装置の取付状態とその構成部品を示した図２〜１８において、（１５）は垂直な一対のハンガーステーであり、何れもＧＦＲＰなどの硬質な合成樹脂パイプから成る。（１６）はその各ハンガーステー（１５）へ下方から差し込み固定された硬質な合成樹脂製のプラグであり、これがハンガーステー（１５）から露出する角軸部には、上記バケット（Ｂ）と弾力的に接触するゴム製のクッション座（１７）が貼り付けられている。
【００２４】
他方、各ハンガーステー（１５）の上端部には、同じく硬質な合成樹脂製のトップカバー（１８）が被着一体化されている。又、そのトップカバー（１８）の真下位置には後述の起伏操作ロープを受け止める硬質な合成樹脂製のストッパーリング（１９）が、固定状態に差し込み套嵌されている。
【００２５】
上記トップカバー（１８）の各個は図１１〜１５から明白なように、ハンガーステー（１５）へ差し込み套嵌される取付脚筒（１８ａ）と、その上端部から連続的に張り出す水平なスライドフランジ（１８ｂ）とを備えている。しかも、その取付脚筒（１８ａ）は角型をなし、これにも上記バケット（Ｂ）と弾力的に接触するゴム製のクッション座（２０）が貼り付けられている。
【００２６】
更に、上記スライドフランジ（１８ｂ）は平面から見て、バケット（Ｂ）への進退方向に沿って延在する一定長さ（Ｌ１）のほぼ長方形をなし、しかも正面視の倒立したほぼ等脚台形に造形されており、その張り出し先端部にはロックピン受け入れ孔（２１）が開口している一方、残る基端部からは抜け止めストッパー（２２）が上向き一体的に突出している。
【００２７】
（２３）は各ハンガーステー（１５）の上記トップカバー（１８）をバケット（Ｂ）の開口上縁部へ係脱自在に係止するためのハンガーフックであって、ＡＢＳ樹脂などの硬質な合成樹脂から上記プロテクター（１３）との対応的に屈曲するほぼ倒立Ｊ字型又は倒立Ｕ字型をなし、その比較的短かく垂直な一端部からは上記トップカバー（１８）のスライドフランジ（１８ｂ）を抱持し得る水平な抱持フランジ（２３ａ）が、バケット（Ｂ）の外方に向かって張り出されている。その張り出し長さ（Ｌ２）は上記スライドフランジ（１８ｂ）における一定長さ（Ｌ１）の約半分として、比較的短かく寸法化されていると共に、その中央部にロックピン受け入れ孔（２４）が開口している。
【００２８】
つまり、ハンガーフック（２３）の抱持フランジ（２３ａ）は図１２、１５のような正面から見て、上記トップカバー（１８）の倒立等脚台形をなすスライドフランジ（１８ｂ）と嵌まり合う蟻溝型に造形されており、その下面のスライドガイド溝（２３ｂ）内に受け入れ抱持した上記トップカバー（１８）のスライドフランジ（１８ｂ）を、図１３、１４のようにバケット（Ｂ）の存在方向（内側）へ押し込み又は逆方向へ引き出す如く、進退スライド操作することができるようになっている。しかも、トップカバー（１８）のクッション座（２０）がバケット（Ｂ）と接触するまで、そのスライドフランジ（１８ｂ）を押し込み操作した時には、そのトップカバー（１８）側のロックピン受け入れ孔（２１）とハンガーフック（２３）側のロックピン受け入れ孔（２４）とが、自づと合致連通するようになってもいる。
【００２９】
（２５）は上記トップカバー（１８）におけるスライドフランジ（１８ｂ）の抜け止めストッパー（２２）と対応して、水平な抱持フランジ（２３ａ）の基端部に付与されたストッパー受け入れ切欠であり、上記スライドフランジ（１８ｂ）を引き出し操作するもハンガーフック（２３）から抜け出し分離しないようになっている。
【００３０】
又、（２６）は上記ハンガーフック（２３）における短かく垂直な一端部へ、裏当て状態に貼り付けられたゴム製のクッション座であって、バケット（Ｂ）の補強フランジ（１１）とプロテクター（１３）へ弾力的に係止する。（２７）は上記倒立Ｊ字型又はＵ字型に屈曲したハンガーフック（２３）の輪郭形状に沿って、上向き一体的に突設された一対の平行な補強リブ、（２８）は上記抱持フランジ（２３ａ）の片側面へ複数の固定ビス（２９）や接着剤を介して取り付けられた起伏操作ロープ用係止フックであり、ここへ後述する起伏操作ロープの途中を迂回的に通し込み係止させることができるようになっている。
【００３１】
（３０）は上記ハンガーステー（１５）のトップカバー（１８）と、ハンガーフック（２３）とを連結固定する硬質な合成樹脂製のロックピンであって、図１６に示すような摘まみヘッド（３０ａ）と割り溝（３１）が付与された楔脚（３０ｂ）とから成り、その楔脚（３０ｂ）を強制的に収縮変形させる如く、上記ハンガーフック（２３）側のロックピン受け入れ孔（２４）とトップカバー（１８）側のロックピン受け入れ孔（２１）へ、上方から差し込み貫通させるようになっている。その貫通したロックピン（３０）の楔脚（３０ｂ）が、自づと復元的に拡開して抜け止め状態に固定維持されることとなる。但し、そのロックピン（３０）を人為強制的に引き抜くことも可能である。（３２）は上記ハンガーフック（２３）の補強リブ（２７）に対するロックピン（３０）の係留紐であり、そのロックピン（３０）の落下を防ぐ。
【００３２】
次に、（３３）は上記ハンガーステー（１５）と対応する一対のネット展開ロッドであって、何れもＧＦＲＰなどの硬質な合成樹脂パイプから成るが、これらはハンガーステー（１５）の下端部から外向く先上がりの傾斜設置状態に張り出している。
【００３３】
つまり、各ハンガーステー（１５）の下端部には平面視のＵ字型をなす硬質な合成樹脂製のネット展開ロッドホルダー（３４）が、固定ピン（３５）や接着剤を介して抱き付け一体化されており、そのロッドホルダー（３４）へネット展開ロッド（３３）の基端部が硬質合成樹脂製の水平な支点ピン（３６）によって、起伏的な回動自在に枢支連結されているのである。
【００３４】
その場合、各ネット展開ロッドホルダー（３４）は図３、１０のような平面から見て、上記バケット（Ｂ）の開口上縁部と直交する仮想線（Ｘ−Ｘ）に対し、約２０度の一定角度（α）だけ交叉した指向状態のもとで、各ハンガーステー（１５）の下端部へ抱き付け固定されている。
【００３５】
そのため、ネット展開ロッド（３３）の一対は先広がりな平面視のハ字型に保たれることとなり、バケット（Ｂ）における角隅部でのネットによる落下物捕捉範囲を、上記一定角度（α）だけ広大な面積に確保することができる。その一定角度（α）としての約２０度は、あくまでも好ましい一例を示すに過ぎない。
【００３６】
尚、ネット展開ロッドホルダー（３４）を上記仮想線（Ｘ−Ｘ）に沿う指向状態として、各ハンガーステー（１５）の下端部へ抱き付け固定することにより、そのネット展開ロッド（３３）の一対を平行状態に保ってもさしつかえない。
【００３７】
他方、各ネット展開ロッド（３３）の張り出し先端部（上端部）には、硬質な合成樹脂製のロープガイドキャップ（３７）が圧入一体化されている。（３８）はここへ抜け止め状態に導入された一定長さの起伏操作ロープであって、好ましくはポリエステルなどの合成繊維から成り、その基端部が上記ハンガーステー（１５）におけるトップカバー（１８）とストッパーリング（１９）との上下相互間へ、滑り落ちないように捲き付けられている。
【００３８】
後述の落下物捕捉ネット（Ｎ）は上記ネット展開ロッド（３３）と、後述する上下一対のネット支持アームへ安定良く固定維持されており、これによってハンガーステー（１５）と交叉するネット展開ロッド（３３）の先上がり傾斜設置角度（β）が、例えば約４５度の一定として、その角度以上に大きく伏倒展開しないように保持されている。
【００３９】
そして、一定長さの上記起伏操作ロープ（３８）をバケット（Ｂ）上から引っ張り操作して、その途中を上記ハンガーフック（２３）側の係止フック（２８）へ迂回的に通し込み係止させることにより、上記ネット展開ロッド（３３）をハンガーステー（１５）と接近する方向（内側）へ引き起して、その先上がり傾斜設置角度（β）を適度に小さく調整保持したり、更には図１７のようなハンガーステー（１５）とほぼ平行する完全な引き起し状態まで折りたたむことも可能である。
【００４０】
その完全な引き起し状態まで折りたたんだ時、上記ネット展開ロッド（３３）がハンガーフック（２３）よりも上方へ背高く張り出さぬように、そのネット展開ロッド（３３）の長さを適当に設定することが好ましい。バケット（Ｂ）へ取り付けた状態のままでも、作業者の工事に障害を与えないからである。
【００４１】
更に、（３９）は垂直なハンガーステー（１５）の一対を連結する上下一対の平行なネット支持アームであって、その各個が一対の同じ一定長さを有するリンクピース（３９ａ）と、これらの中間連結ピース（３９ｂ）とから屈折自在に組み立てられている。
【００４２】
つまり、各リンクピース（３９ａ）はＧＦＲＰなどの硬質な合成樹脂パイプから成り、その両端部へ差し込み套嵌されたエンドカバー（４０）（４１）からは、板状の支持片（４０ａ）（４１ａ）が連続的に張り出している。他方、各中間連結ピース（３９ｂ）は硬質な合成樹脂から倒立Ｕ字型に造形されており、その枠内へリンクピース（３９ａ）の一端部から張り出す支持片（４０ａ）を受け入れた状態のもとで、水平な支点ピン（４２）を介して起伏的な回動自在に枢支連結されている。
【００４３】
（４３）（４４）は上記ハンガーステー（１５）の上段位置と下段位置へ各々抱き付け固定された一対のネット支持アームホルダーであって、何れも硬質な合成樹脂からＵ字型に造形されており、その枠内へ上記リンクピース（３９ａ）の他端部から張り出す支持片（４１ａ）を受け入れた状態のもとで、やはり水平な支点ピン（４５）を介して起伏的な回動自在に枢支連結されている。
【００４４】
しかも、上記ネット支持アーム（３９）における中間連結ピース（３９ｂ）同志の上下相互間が、アラミド繊維などの伸縮しない強靱な合成繊維から成る一定長さの連繋ロープ（４６）によって、一体動作し得るように連繋されているのである。
【００４５】
そのため、作業者がバケット（Ｂ）上から上段の中間連結ピース（３９ｂ）を引き上げ操作すれば、その上段のネット支持アーム（３９）を形作っているリンクピース（３９ａ）のみならず、下段のそれを形作っているリンクピース（３９ａ）も一緒に屈折作用して、図１７のような山型となり、垂直な上記ハンガーステー（１５）の一対を互いに接近する集束状態に折りたたむことができ、その際ハンガーフック（２３）の一対は上記バケット（Ｂ）のプロテクター（１３）をスライドガイドレールとして、円滑にスライド作用する。
【００４６】
又、作業者がやはりバケット（Ｂ）上からハンガーフック（２３）の一対を、そのプロテクター（１３）に沿って逆に押し広げ操作すれば、上下一対のネット支持アーム（３９）を形作っているリンクピース（３９ａ）が、連結ロープ（４６）により一緒に伏倒展開して、図７、８のような水平の横架状態となり、垂直な上記ハンガーステー（１５）の一対を互いに離反させることができる。
【００４７】
その場合、各中間連結ピース（３９ｂ）と支点ピン（４２）を介して枢支連結された両リンクピース（３９ａ）の一端部に付属しているエンドカバー（４０）は、その倒立Ｕ字型をなす中間連結ピース（３９ｂ）の天井面（上面）に受け止め規制され、同じく両リンクピース（３９ａ）の他端部に付属しているエンドカバー（４１）は、上記Ｕ字型をなすネット支持アームホルダー（４３）（４４）の床面（下面）に受け止め規制されて、その上下一対のネット支持アーム（３９）を何れも上記山型と逆向きのＶ字型に屈折せず、水平な突っ張り状態に自づと安定良く保持することができるようになっている。
【００４８】
先に一言した落下物捕捉ネット（Ｎ）はポリエステルやナイロンなどの合成繊維から成り、ハンガーステー（１５）とネット支持アーム（３９）との一対づつによって区画される四角形な平面空間（垂直面）と、その下段のネット支持アーム（３９）と一対のネット展開ロッド（３３）によって区画される等脚台形の平面空間（先上がり傾斜面）と、更に各ネットネット展開ロッド（３３）と各ハンガーステー（１５）により区画される三角形の平面空間（垂直面）との全体を遮蔽する展開状態に張り掛けられており、その展開状態として使用されることになる。
【００４９】
つまり、図１９〜２２に示す如く、上記四角形な垂直面と等脚台形の先上がり傾斜面とから断面ほぼレ字型をなす言わば四角ネット部分（Ｎ１）が、その平行な横辺において上下一対のネット支持アーム（３９）へ、通し込みや縛り付けなどの手段によって安定良く固定維持されている一方、上記断面ほぼレ字型の垂直な両サイド空間を遮蔽する一対の三角ネット部分（Ｎ２）が、その先上がり傾斜辺において各ネット展開ロッド（３３）へ、やはり通し込みや縛り付けなどの手段を介して安定良く固定維持されており、その落下物捕捉ネット（Ｎ）の全体として袋状態をなしているのである。
【００５０】
尚、図例では各三角ネット部分（Ｎ２）の垂直辺を非固定状態に放任しているが、上記ネット展開ロッド（３３）とネット支持アーム（３９）のみならず、ハンガーステー（１５）も落下物捕捉ネット（Ｎ）の張り掛け用骨材として、その各ハンガーステー（１５）へ各三角ネット部分（Ｎ２）の垂直辺を、通し込みや縛り付けなどの手段により固定維持しても勿論良い。
【００５１】
又、図例の落下物捕捉ネット（Ｎ）は全体として１枚物の連続ネットになっているが、その上記四角ネット部分（Ｎ１）と三角ネット部分（Ｎ２）と各別に作成の上、適当な締結具を用いて連繋一体化してもさしつかえない。何れにしても、図１９から示唆される通り、落下物捕捉ネット（Ｎ）の展開状態には或る程度垂れ下がる余裕を与えて、落下物捕捉上のショックを吸収し、その落下物の跳ね上がりを防ぐことが望ましい。
【００５２】
図１９〜２２は工事に必要な部品や工具などの機材収容袋を揚げ降ろしするスペースの確保上、バケット（Ｂ）における左側壁面（１２ｃ）又は右側壁面（１２ｄ）の１面だけに取り付けた落下物捕捉装置の使用状態を例示している。
【００５３】
本発明の落下物捕捉装置ではその上記構成から明白なように、各ハンガーステー（１５）の上端部に付属しているトップカバー（１８）のスライドフランジ（１８ｂ）が、各ハンガーフック（２３）の抱持フランジ（２３ａ）へ進退スライド操作自在として抱持された組立状態にあるため、その高所作業車（Ｖ）のバケット（Ｂ）へ取り付けるに当っては、上記トップカバー（１８）のスライドフランジ（１８ｂ）を一旦バケット（Ｂ）から引き出す方向（外側）へスライド操作して、ハンガーフック（２３）をバケット（Ｂ）の開口上縁部へ上方から跨がる状態に係止させる。
【００５４】
そして、その後トップカバー（１８）のスライドフランジ（１８ｂ）をバケット（Ｂ）の存在方向（内側）へ押し込みスライドさせることにより、その自づと合致連通したハンガーフック（２３）側のロックピン受け入れ孔（２４）とトップカバー（１８）側のロックピン受け入れ孔（２１）へ、上方からロックピン（３０）を差し込む。そうすれば、上記ハンガーステー（１５）がバケット（Ｂ）と弾力的に接触した安定な吊り下がり設置状態となり、そのハンガーフック（２３）もバケット（Ｂ）からの脱落不能に固定維持される結果となる。
【００５５】
他方、これと相前後して、上記ハンガーフック（２３）の一対をバケット（Ｂ）のプロテクター（１３）に沿って押し広げ操作することにより、そのハンガーステー（１５）の一対を互いに離反させる。そうすれば、上下一対のネット支持アーム（３９）が連結ロープ（４６）を介して一緒に伏倒展開し、上記ハンガーステー（１５）の一対を突っ張る水平な横架状態になる。
【００５６】
併せて、各ハンガーステー（１５）の下端部へネット展開ロッドホルダー（３４）を介して枢支連結されているネット展開ロッド（３３）の一対は、自づと先上がり傾斜設置状態に張り出し伏倒することとなり、少なくともそのネット展開ロッド（３３）と上記ネット支持アーム（３９）を骨材として、これらに張り掛けられている落下物捕捉ネット（Ｎ）も使用状態に展開し、上記ネット展開ロッド（３３）の先上がり傾斜設置角度（β）が一定に保たれる結果となる。
【００５７】
その傾斜設置角度（β）は図２２に示唆する如く、バケット（Ｂ）上から起伏操作ロープ（３８）を引っ張り操作することによって、適度に小さく調整保持したり、更にはハンガーステー（１５）とほぼ平行する完全な引き起し状態まで折りたたんだりすることもでき、高所作業車（Ｖ）の工事現場に向かう移動や、その伸縮ブーム（１０）の伸縮作動時或いは旋回時などに便利である。
【００５８】
上記バケット（Ｂ）への取付作業は地面のみならず、高所へ移動後のバケット（Ｂ）上からでも、作業者の１人がすばやく便利に行なえ、必要な工事の終了後にはバケット（Ｂ）へ取り付けた状態のままで、作業者が上記ネット支持アーム（３９）を引き上げ操作することにより、一対のハンガーステー（１５）を互いに接近した折りたたみ集束状態として、図１８のようにバケット（Ｂ）の角隅部へ寄せておくこともできる。
【００５９】
又、上記取付作業との逆にロックピン（３０）を引き抜いて、各ハンガーステー（１５）におけるトップカバー（１８）のスライドフランジ（１８ｂ）をバケット（Ｂ）から引き出す方向（外側）へスライドさせることにより、バケット（Ｂ）から取りはずした後、やはりネット支持アーム（３９）を引き上げ操作して、一対のハンガーステー（１５）を互いに接近させると共に、ネット展開ロッド（３３）をそのハンガーステー（１５）とほぼ平行するまで完全に引き起した図２３のような全体の折りたたみ集束状態として、バケット（Ｂ）の内部へ小型コンパクトに収納したり、持ち運んだり、更には保管したりすることも可能である。
【００６０】
その場合、折りたたみ状態を固定維持するテープやバンドなどの結束具（４７）は、図１９から示唆されるように、予じめ何れか一方のハンガーステー（１５）と連繋ロープ（４６）との相互間へ仮り止め状態に捲き付けておくことにより、その紛失を防ぎ、これを用いて、すばやく図２３のように結束することが好ましい。
【００６１】
尚、上記の説明から明白なように、本発明の落下物捕捉装置はバケット（Ｂ）への取り付け上、そのための加工をバケット（Ｂ）に施す必要が一切なく、又そのバケット（Ｂ）に対する着脱作業工具も必要とせず、バケット（Ｂ）のサイズ変化に左右されない汎用性を有するため、図示した左右側壁面（１２ｃ）（１２ｄ）の何れか一方のみならず、その前壁面（１２ａ）への移設状態に取り付け使用できることは、言うまでもない。
【００６２】
【発明の効果】
以上のように、本発明の落下物捕捉装置では高所作業車（Ｖ）の伸縮ブーム（１０）に装備されたバケット（Ｂ）の開口上縁部を跨ぐほぼ倒立Ｊ字型又は倒立Ｕ字型として、そのバケット（Ｂ）の開口上縁部へスライド作用と係脱操作の可能に係止されるハンガーフック（２３）の一対と、
【００６３】
各ハンガーフック（２３）へ抜き差し可能なロックピン（３０）を介して、そのハンガーフック（２３）からの吊り下がり設置状態に連結一体化されたハンガーステー（１５）の一対と、
【００６４】
各ハンガーステー（１５）から外向く先上がりの傾斜設置状態として張り出すように、その各基端部が各ハンガーステー（１５）の下端部へ回動自在に枢支連結されたネット展開ロッド（３３）の一対と、
【００６５】
上記ハンガーステー（１５）の相互間を連結する屈折可能なネット支持アーム（３９）の上下一対と、
【００６６】
そのネット支持アーム（３９）が屈折する中間部同志の上下相互間を連繋するロープ（４６）と、
【００６７】
少なくとも上記ネット展開ロッド（３３）とネット支持アーム（３９）を骨材として、これらに全体的な袋状態として張り掛け固定された落下物捕捉ネット（Ｎ）とを備え、
【００６８】
上記ネット支持アーム（３９）の中間部を引き上げ操作すれば、そのネット支持アーム（３９）の上下一対が山型に屈折作用して、上記ハンガーステー（１５）の一対が互いに接近した折りたたみ集束状態となる一方、
【００６９】
上記ハンガーフック（２３）の一対をバケット（Ｂ）の開口上縁部に沿って押し広げ操作すれば、やはりネット支持アーム（３９）の上下一対が水平に伏倒展開して、上記ハンガーステー（１５）の一対が互いに離反した使用状態となるように関係設定してあるため、冒頭に述べた従来技術の課題を悉く改良できる効果がある。
【００７０】
即ち、本発明の上記構成によれば、一対のハンガーフック（２３）がバケット（Ｂ）の開口上縁部を跨ぐほぼ倒立Ｊ字型又は倒立Ｕ字型として、そのバケット（Ｂ）の開口上縁部へスライド作用と係脱操作を行なえるように係止されており、そのハンガーフック（２３）からの吊り下がり設置状態となるハンガーステー（１５）の下端部へ、ネット展開ロッド（３３）の基端部が各々回動自在に枢支連結されている。しかも、上記ハンガーステー（１５）の一対は屈折可能なネット支持アーム（３９）の上下一対と、その屈折する中間部同志の上下相互間を連繋するロープ（４６）によって、互いに接離作用し得るように連結されてもいる。
【００７１】
そのため、上記落下物捕捉装置の全体を地面では勿論のこと、高所へ移動後のバケット（Ｂ）上からでも、作業者の１人が便利良く後付け使用でき、そのバケット（Ｂ）のサイズ変化に左右されることもない。
【００７２】
そして、バケット（Ｂ）の開口上縁部をスライドガイドレールとしつつ、そのバケット（Ｂ）上からハンガーフック（２３）の一対を押し広げ操作すれば、これと連動するハンガーステー（１５）の一対が互いに離反し、上下一対のネット支持アーム（３９）が連繋ロープ（４６）を介して一緒に伏倒展開する結果、上記落下物捕捉装置の正規な使用状態をすばやく得ることができる。
【００７３】
他方、必要な工事を終了して移動するような場合に、上記落下物捕捉装置をバケット（Ｂ）へ取り付けた状態のままでも、作業者が上記ネット支持アーム（３９）の中間部を引き上げ操作すれば、そのネット支持アーム（３９）の上下一対が山型に屈折作用し、やはりバケット（Ｂ）の開口上縁部に沿って上記ハンガーフック（２３）やハンガーステー（１５）が互いに接近した折りたたみ集束状態となるため、その集束状態としてバケット（Ｂ）の角隅部へ寄せ付けておくことができ、更にはバケット（Ｂ）から取りはずし、その折りたたみ集束状態としてバケット（Ｂ）の内部へ小型コンパクトに収納したり、持ち運んだり、保管したりすることも可能であり、利便性に著しく優れる。
【００７４】
特に、請求項２の構成を採用するならば、一対のハンガーフック（２３）を押し広げ操作した時、各ネット支持アーム（３９）の両リンクピース（３９ａ）が水平な突っ張り状態に受け止め規制されることにより、逆向きのＶ字型に屈折するおそれがなく、正規な使用状態の安定性をますます昂めることができる。
【００７５】
請求項３の構成を採用するならば、その平面視の先広がりなハ字型に張り出すネット展開ロッド（３３）の一対により、落下物捕捉範囲を可及的に広大な面積として確保できるほか、そのネット展開ロッド（３３）の先上がり傾斜設置角度（β）をバケット（Ｂ）上から、起伏操作ロープ（３８）によって適度に小さく調整し得る利便性もある。
【００７６】
又、請求項４の構成を採用するならば、バケット（Ｂ）の開口上縁部が損傷するおそれを、そのプロテクター（１３）によって防護することができ、しかもこれを耐久的なスライドガイドレールとして、上記ハンガーフック（２３）を円滑にスライド作用させ得る効果がある。
【００７７】
請求項５の構成を採用するならば、バケット（Ｂ）と弾力的に接触するクッション座（１７）（２０）により、そのバケット（Ｂ）の傷付き防止や落下物捕捉装置の使用中における振動・ショックの吸収などに役立つ。
【００７８】
更に、請求項６の構成を採用するならば、ハンガーステー（１５）のトップカバー（１８）をバケット（Ｂ）の存在方向へ押し込みスライド操作した時、そのトップカバー（１８）側のロックピン受け入れ孔（２１）とハンガーフック（２３）側のロックピン受け入れ孔（２４）とが自づと合致連通することになり、しかもその内部へ上方からロックピン（３０）を差し込み固定するだけで足りるため、バケット（Ｂ）に対する落下物捕捉装置の取付作業を簡単に便利良く行なうことができる。
【００７９】
上記諸効果を達成する必要構成としても、組立部品点数が少なく、簡素であるため、量産効果に富み、実用性の高い発明と言える。
【図面の簡単な説明】
【図１】本発明の使用による高所作業状態を示す説明図である。
【図２】高所作業車のバケットに取り付けた本発明の落下物捕捉装置を示す正面図である。
【図３】図２の平面図である。
【図４】ネット展開ロッドの完全な引き起し状態を示す図３に対応する平面図である。
【図５】本発明の落下物捕捉装置を示す斜面図である。
【図６】図５の側面図である。
【図７】図６の７−７線断面図である。
【図８】図２の拡大図である。
【図９】図８の９−９線に沿う断面図である。
【図１０】図９の１０−１０線に沿う拡大断面図である。
【図１１】ハンガーステーとハンガーフックとの分解斜面図である。
【図１２】ハンガーステーとハンガーフックとの連結状態を示す正面図である。
【図１３】図１２の１３−１３線断面図である。
【図１４】ハンガーステーのトップカバーを引き出したスライド操作状態の図１３に対応する側断面図である。
【図１５】図１３の１５−１５線断面図である。
【図１６】ロックピンを抽出して示す斜面図である。
【図１７】図８に対応する落下物捕捉装置の折りたたみ集束状態を示す正面図である。
【図１８】バケットの角隅部へ寄せつけた集束状態を示す図４に対応する平面図である。
【図１９】落下物捕捉ネットの張り掛け状態を展開して示す斜面図である。
【図２０】図１９の正面図である。
【図２１】図１９の平面図である。
【図２２】図２１の２２−２２線に沿う拡大断面図である。
【図２３】落下物捕捉装置の結束状態を示す斜面図である。
【符号の説明】
（１０）・伸縮ブーム
（１１）・補強フランジ
（１３）・プロテクター
（１５）・ハンガーステー
（１７）・クッション座
（１８）・トップカバー
（１８ａ）・取付脚筒
（１８ｂ）・スライドフランジ
（２０）・クッション座
（２１）・ロックピン受け入れ孔
（２２）・抜け止めストッパー
（２３）・ハンガーフック
（２３ａ）・抱持フランジ
（２３ｂ）・スライドガイド溝
（２４）・ロックピン受け入れ孔
（３０）・ロックピン
（３３）・ネット展開ロッド
（３８）・起伏操作ロープ
（３９）・ネット支持アーム
（３９ａ）・リンクピース
（３９ｂ）・中間連結ピース
（４２）・支点ピン
（４３）・ネット支持アームホルダー
（４４）・ネット支持アームホルダー
（４５）・支点ピン
（４６）・連繋ロープ
（４７）・結束具（テープ）
（Ｂ）・バケット
（Ｎ）・落下物捕捉ネット
（Ｎ１）・四角ネット部分
（Ｎ２）・三角ネット部分
（Ｖ）・高所作業車
（α）・仮想線との交叉角度
（β）・先上がり傾斜設置角度
（Ｘ−Ｘ）・仮想線
【図１】
0003925785.tif 000002
【図２】
0003925785.tif 000003
【図３】
0003925785.tif 000004
【図４】
0003925785.tif 000005
【図５】
0003925785.tif 000006
【図６】
0003925785.tif 000007
【図７】
0003925785.tif 000008
【図８】
0003925785.tif 000009
【図９】
0003925785.tif 000010
【図１０】
0003925785.tif 000011
【図１１】
0003925785.tif 000012
【図１２】
0003925785.tif 000013
【図１３】
0003925785.tif 000014
【図１４】
0003925785.tif 000015
【図１５】
0003925785.tif 000016
【図１６】
0003925785.tif 000017
【図１７】
0003925785.tif 000018
【図１８】
0003925785.tif 000019
【図１９】
0003925785.tif 000020
【図２０】
0003925785.tif 000021
【図２１】
0003925785.tif 000022
【図２２】
0003925785.tif 000023
【図２３】
0003925785.tif 000024